(57)【要約】      （修正有）【課題】飼育している小動物の写真撮影、ケージの中の透明クリア板を掃除する際便利である。【解決手段】フェンスとトレイ本体からなる小動物用ケージのフェンス（後ろ面）を取り除き、小動物用二溝ガイド付き差し替え可能フレームと、フェンス板（後ろ面用）又は透明クリア板を止め具で固定する事で小動物用ケージの後ろ面として利用可能とし、又フェンス板（後ろ面用）と透明クリア板を小動物用二溝ガイド付き差し替え可能フレームの上から同時に差し込み、差し替え可能とし、二枚の透明クリア板で、常にゲージ外側を透明クリア板にする事ができ、小動物用ケージに小動物用二溝ガイド付き差し替え可能フレームを利用する事で、日常生活において飼い主の意向をより反映することを可能にしている。【選択図】図１
0003136747.tif 000002
【実用新案登録請求の範囲】
【請求項１】
フェンスとトレイ本体からなる小動物用ケージの、フェンス（後ろ面）を取り除き、後ろ面に小動物用ケージとの接続を可能にするに接続用付属品（金属及び合成樹脂材使用）を設け、後ろ面の左側面、下側面、右側面に沿って小動物用二溝ガイド付き差し替え可能フレーム（金属及び合成樹脂材使用）を設け、小動物用ケージの後ろ面に接続した接続用付属品に、小動物用二溝ガイド付き差し替え可能フレームを接着固定し、接続用付属品に接着した小動物用二溝ガイド付き差し替え可能フレームの両側面に止め具を入れる止め穴を設け、フェンス板（後ろ面用）と透明クリア板（二枚）を設け、フェンス板（後ろ面用）の両側面に止め具を入れる止め輪を設け、透明クリア板（二枚）の両側面に止め具を入れる止め穴を設け、止め輪又は止め穴に入れる止め具を設け、フェンス板（後ろ面用）の止め輪又は透明クリア板の止め穴と小動物用ケージとの接続を可能にする接続用付属品に接着した小動物用二溝ガイド付き差し替え可能フレームの止め穴に、止め具を入れ固定することで、ケージの後ろ面として使用可能とし、又フェンス板（後ろ面用）と透明クリア板を小動物用二溝ガイド付き差し替え可能フレームの上から同時に差しこむことを可能とすることで、フェンス板（後ろ面用）と透明クリア板を差し替え可能とし、又透明クリア板を二枚設けることでフェンス板と透明クリア板を差し替える時に常にケージ外側を透明クリア板にすることを可能としている。以上の事を特徴とするフェンス板（後ろ面用）透明クリア板差し替え可能、小動物用二溝ガイド付き差し替え可能フレーム（金属及び合成樹脂材使用）。
【考案の詳細な説明】
【技術分野】
【０００１】  本考案はフェンスとトレイ本体からなる小動物用ケージのフェンス（後ろ面）を取り除き、後ろ面に小動物用ケージとの接続を可能とする接続用付属品（金属及び合成樹脂材使用）を設け、後ろ面の左側面、下側面、右側面に沿って小動物用二溝ガイド付き差し替え可能フレーム（金属及び合成樹脂材使用）を設け、小動物用ケージの後ろ面に接続した接続用付属品に小動物用二溝ガイド付き差し替え可能フレームを接着固定し、接続用付属品に接着した小動物用二溝ガイド付き差し替え可能フレームの両側面に止め具を入れる穴を設け、フェンス板（後ろ面用）と透明クリア板（二枚）を設け、フェンス板（後ろ面用）の両側面に止め具を入れる止め輪を設け、透明クリア板（二枚）の両側面に止め具を入れる止め穴を設け、止め輪又は止め穴に入れる止め具を設けた小動物二溝ガイド付き差し替え可能フレーム（金属及び合成樹脂材使用）に関するものである。
【背景技術】
【０００２】  従来のケージでは飼育している小動物の写真撮影、ビデオ撮影、携帯付属写真撮影又は、携帯付属の動画撮影、絵を描く際、常に飼育動物の前にワイヤーが写り不便である。
固定式の透明クリア板ケージでは、ケージの内の透明クリア板を掃除する際手間がかかり不便である。
固定式の透明クリア板のケージでは小動物にとって圧迫感があるように思われる。
【考案の開示】
【考案が解決しようとする課題】
【０００３】  フェンスとトレイ本体からなる小動物用ケージでは、ケージ内で飼育している小動物の写真撮影、ビデオ撮影、携帯付属写真撮影又は、携帯付属の動画撮影、絵を描く際、常に飼育動物の前にワイヤーが写ることとなり、不便である。
また、固定式の透明クリア板ケージでは、ケージの内の透明クリア板を掃除する際手間がかかり不便であるとともに、固定式の透明クリア板のケージでは、小動物にとって圧迫感があるように思われる。小動物用二溝ガイド付き差し替え可能フレーム（金属及び合成樹脂材使用）は、小動物のケージに利用することによって上記の問題を解決しようとするものである。
【課題を解決するための手段】
【０００４】  本考案は、フェンスとトレイ本体からなる小動物用ケージのフェンス（後ろ面）を取り除き、後ろ面に小動物用ケージとの接続を可能とする接続用付属品（金属及び合成樹脂材使用）を設け、後ろ面の左側面、下側面、右側面に沿って小動物用二溝ガイド付き差し替え可能フレーム（金属及び合成樹脂材使用）を設け、小動物用ケージの後ろ面に接続した接続用付属品に小動物用二溝ガイド付き差し替え可能フレームを接着固定し、接続用付属品に接着した小動物用二溝ガイド付き差し替え可能フレームの両側面に止め具を入れる止め穴を設け、フェンス板（後ろ面用）と透明クリア板（二枚）を設け、フェンス板（後ろ面用）の両側面に止め具を入れる止め輪を設け、透明クリア板（二枚）の両側面に止め具を入れる止め穴を設け、止め輪又は止め穴に入れる止め具を設け、フェンス板（後ろ面用）又は透明クリア板と小動物用ケージとの接続を可能とする接続用付属品に接着した小動物用二溝ガイド付き差し替え可能フレームの止め穴に止め具を入れ固定することで、ケージの後ろ面として使用可能とし、又フェンス板（後ろ面用）と透明クリア板を小動物用二溝ガイド付差し替え可能フレームの上から同時に差し込むことを可能とすることで、フェンス板（後ろ面用）と透明クリア板を差し替え可能とし、又透明クリア板を二枚設けることでフェンス板（後ろ面用）と透明クリア板を差し替える時に常にケージ外側を透明クリア板にすることを可能としている。小動物用ケージの後ろ面に小動物用二溝ガイド付き差し替え可能フレーム（金属及び合成樹脂材使用）を設けることで、透明クリア板、フェンス板（後ろ面用）を同時に上から差込み、フェンス板（後ろ面用）と透明クリア板を安全に差し替え可能とし、フェンス板（後ろ面用）止め輪又は透明クリア板止め穴と接続用付属品に接着した小動物用二溝ガイド付き差し替え可能フレームの止め穴を止め具で固定することで、小動物用ケージの後ろ面として使用可能とし、小動物用ケージの後ろ面に接続した小動物用二溝ガイド付き差し替え可能フレームは、上記の問題を解決するものである。
【考案の効果】
【０００５】  上述のように本考案の小動物用二溝ガイド付き差し替え可能フレームは、小動物用ケージの後ろ面に利用することで、後ろ面にフェンス板（後ろ面用）又は透明クリア板を同時に差し込むことを可能とし、フェンス板（後ろ面用）と透明クリア板を安全に差し替え可能となり、フェンス板（後ろ面用）又は透明クリア板と、小動物用ケージに接続可能な接続用付属品に接着した小動物用二溝ガイド付き差し替え可能フレームと、止め具を用いて固定することで、小動物用ケージの後ろ面として使用可能となり、小動物用ケージに小動物用二溝ガイド付き差し替え可能フレームを利用することで、日常生活において飼い主の意向をより反映することを可能にし、一つの飼育用ケージで二つの形態を可能にしている。
【図面の簡単な説明】
【０００６】
【図１】接続用付属品に接着した小動物用二溝ガイド付き差し替え可能フレームを小動物用ケージに接着した図である。
【図２】小動物用二溝ガイド付き差し替え可能フレーム図である。
【図３】トレイ本体と小動物用二溝ガイド付き差し替え可能フレーム低部の取り付け状況図である。
【図４】透明クリア板（二枚）図である。
【図５】フェンス板（後ろ面用）図である。
【図６】小動物用二溝ガイド付き差し替え可能フレーム両側面止め穴及び止め具図である。
【図７】小動物用イド付き差し替え可能フレーム両側面止め穴に止め具（ナット）を接着した図である。
【符号の説明】
【０００７】１    フェンス（後ろ面）を除いた小動物用ケージ
２    小動物用二溝ガイド付き差し替え可能フレーム
２ａ  小動物用二溝ガイド付き差し替え可能フレームの止め穴
３    小動物用二溝ガイド付き差し替え可能フレームの接続用付属品
４    トレイ本体
５    透明クリア板（二枚）
５ａ  透明クリア板の止め穴
６    フェンス板（後ろ面用）
６ａ  フェンス板（後ろ面用）の止め輪
７ａ  小動物用二溝ガイド付き差し替え可能フレーム止め穴用止め具（ナット）
７ｂ  小動物用二溝ガイド付き差し替え可能フレーム止め穴用止め具（ボルト）
※注記
本考案の小動物用ケージとの接続可能とする接続用付属品（金属及び合成樹脂材使用）は何種類かの既存の接続方法を基本としている為、実物は取り合いに合わせて製作する為、若干異なる事がある。
尚、接続方法については、別紙〔補足〕にて説明するものである。
【図１】
0003136747.tif 000003
【図２】
0003136747.tif 000004
【図３】
0003136747.tif 000005
【図４】
0003136747.tif 000006
【図５】
0003136747.tif 000007
【図６】
0003136747.tif 000008
【図７】
0003136747.tif 000009